(57)【要約】【課題】利便性を損なわずに小型化を可能にした。【解決手段】ハンドセット部本体１１は、アンテナ１２、受話器１３、送話器１４を有する。操作用キーボタン１５は、ハンドセット部本体１１の電源ＯＮ／ＯＦＦ、送受話器のＵＰ／ＤＯＷＮ、電話番号選択用ボタン、表示クリアボタンの４つから構成される。表示部１６は、電話番号などの文字情報を表示する。上記本体１１には、表示端末部からのコネクタを接続する受け口１７が設けられる。表示端末部本体１８は、液晶画面からなる入力／表示部１９と、端末部本体１８の電源ＯＮ／ＯＦＦ、送受話器のＵＰ／ＤＯＷＮ、電話番号選択用ボタン、表示クリアボタンの４個の操作用キーボタン２０と、ハンドセット部本体１１に設けられたコネクタ受け口１７に接続するコネクタ２１を有するケーブル２２などから構成される。【選択図】　図１
2004096304.tif 000002
【特許請求の範囲】
【請求項１】
アンテナ、送話器、受話器、表示部、いくつかの操作ボタン、送受信回路、制御回路、電話番号記億部および電源から構成されるハンドセット部本体と、
表示／入力部、いくつかの操作ボタン、制御部、記億部、通信制御部、電源およびハンドセット部本体との接続に使用されるケーブルとコネクタから構成される表示端末部本体であって、
ハンドセット部本体と表示端末部本体は、ケーブルとコネクタで接続し、両本体若しくはどちらかの本体にて送受信を可能としたことを特徴とする携帯情報端末装置。
【請求項２】
前記電話番号記憶部には、利用頻度が高い電話番号を記憶し、ハンドセット部本体単独で、送受信を可能としたことを特徴とする請求項１記載の携帯情報端末装置。
【請求項３】
前記電話番号記憶部には、利用頻度が高い電話番号を記憶し、表示端末部本体単独で、送受信を可能としたことを特徴とする請求項１記載の携帯情報端末装置。
【請求項４】
前記ハンドセット部本体に設けられている操作用キーボタンを操作して任意の電話番号を入力して発信するようにしたことを特徴とする請求項１記載の携帯情報端末装置。
【請求項５】
前記ハンドセット部本体の送話器は、ハンドセット部本体の下方に引き出し自在に構成したことを特徴とする請求項１、２又は４記載の携帯情報端末装置。
【請求項６】
前記ハンドセット部本体には、バイブロモータを内蔵したことを特徴とする請求項１から５記載の携帯情報端末装置。
【発明の詳細な説明】
【０００１】
【発明の属する技術分野】
この発明は、携帯電話機、ＰＨＳなどからなる携帯情報端末装置に関するものである。
【０００２】
【従来の技術】
現在市販されている携帯電話機は、回路及び実装技術の発展によりかなり小型化されてきた。しかし、この小型化手段も電話番号を入力するためのキーと表示部分があるため、限界に来つつある。このために、これ以上携帯電話機を小型化することは殆ど不可能に近い。
【０００３】
【発明が解決しようとする課題】
携帯情報端末装置である携帯電話機は、発信のために電話番号を入力するキーと、入力した電話番号を目で確認するための表示部が最低限実装されてあり、使い勝手を維持するためには、小型化は限界に達している。因みに、このように小型化された携帯電話機のサイズは、１３０ｍｍ（高さ）×４５ｍｍ（幅）×１６ｍｍ（厚み）程度である。
【０００４】
上記のように、携帯電話機を小型化すると、キーも小さくなり、キー操作がやりにくくなってしまう問題がある。また、ユーザ側から見ると、携帯電話機が、ポケットに収まる大きさとは言え、決して満足できるサイズとは言えない。理想を言えば、携帯電話機が筆記用具程度の大きさとなれば、ポケットに入れても違和感がないものとなり、携帯の利便性が増大するので、このような携帯電話機のような情報端末機が要望されている。
【０００５】
この発明は、上記の事情に鑑みてなされたもので、利便性を損なわずに小型化を可能にした携帯情報端末装置を提供することを課題とする。
【０００６】
【課題を解決するための手段】
この発明は、上記の課題を達成するために、第１発明は、アンテナ、送話器、受話器、表示部、いくつかの操作ボタン、送受信回路、制御回路、電話番号記億部および電源から構成されるハンドセット部本体と、
表示／入力部、いくつかの操作ボタン、制御部、記億部、通信制御部、電源およびハンドセット部本体との接続に使用されるケーブルとコネクタから構成される表示端末部本体であって、
ハンドセット部本体と表示端末部本体は、ケーブルとコネクタで接続することを特徴とする携帯情報端末装置である。
【０００７】
第２発明は、前記電話番号記憶部には、利用頻度が高い電話番号を記憶し、ハンドセット部本体単独で、送受信を可能としたことを特徴とする携帯情報端末装置である。
【０００８】
第３発明は、前記電話番号記憶部には、利用頻度が高い電話番号を記憶し、表示端末部本体単独で、送受信を可能としたことを特徴とする携帯情報端末装置。
【０００９】
第４発明は、前記ハンドセット部本体に設けられている操作用キーボタンを操作して任意の電話番号を入力して発信するようにしたことを特徴とする携帯情報端末装置である。
【００１０】
第５発明は、前記ハンドセット部本体の送話器が、ハンドセット部本体の下方に引き出し自在に構成したことを特徴とする携帯情報端末装置である。
【００１１】
第６発明は、前記ハンドセット部本体には、バイブロモータを内蔵したことを特徴とする携帯情報端末装置である。
【００１２】
【発明の実施の形態】
以下この発明の実施の形態を図面に基づいて説明する。図１（ａ）、（ｂ）はこの発明の実施の第１形態を示す正面図で、図１（ａ）はハンドセット部、図１（ｂ）は表示端末部である。図１（ａ）に示すハンドセット部本体１１は、少し太めの筆記用具程度の大きさ（幅が１５から２０ｍｍあるいはそれ以下の大きさ：一般の携帯電話機の幅は４５ｍｍ程度ある）に形成され、本体１１には、一般の携帯電話機にも使用されているアンテナ１２、受話器（あるいはスピーカ）１３、送話器（あるいはマイクロフォン）１４を有する。
【００１３】
１５は、４個の操作用キーボタンで、このキーボタン１５は後述のような機能を有するものである。表示部１６は、筆記用具より少し大きい程度の幅に形成され、文字情報（電話番号など）は、筆記用具の軸方向（横向き）に表示する。
【００１４】
キーボタン１５は、ハンドセット部本体１１の電源ＯＮ／ＯＦＦ、送受話器のＵＰ／ＤＯＷＮ、電話番号選択用ボタン、表示クリアボタンの４つから構成される。上記本体１１には、図１（ｂ）に示す表示端末部からのコネクタを接続する受け口１７が設けられる。なお、図示していないが、電池の充電用端子も本体１１には設けられている。
【００１５】
図１（ｂ）は表示端末部で、この表示端末部本体１８は、例えば、比較的大型の液晶画面からなる入力／表示部１９と、端末部本体１８の電源ＯＮ／ＯＦＦ、送受話器のＵＰ／ＤＯＷＮ、電話番号選択用ボタン、表示クリアボタンの４つから構成される４個の操作用キーボタン２０と、ハンドセット部本体１１に設けられたコネクタ受け口１７に接続するコネクタ２１を有するケーブル２２および図示しない充電用の端子から構成される。なお、２３は専用の入力用ペンであり、ケーブル２２は、持ち運びが便利なように本体１８内に収納可能となっている。
【００１６】
入力／表示部１９は、単に情報を表示するだけでなく、専用の入力用ペン２３を使用して情報の入力を行うことができる。
【００１７】
図２は、ハンドセット部本体１１の回路構成を示すブロック図で、図２において、アンテナ１２は送受信回路３１に接続される。送受信回路３１には、受話器１３と送話器１４が接続されるとともに、制御回路３２が接続される。
【００１８】
制御回路３２には、表示部１６、第１電話番号記憶部３３、第２電話番号記憶部３４、受信通知部３５、操作用キーボタン１５、通信制御部３６、電池３７が接続されている。
【００１９】
上記第１電話番号記憶部３３は、電話番号と相手の名前を記憶させる記憶部である。これは、後述する端末表示部本体１８に記憶している電話番号と相手の名前を、ケーブル２２、コネクタ２１を介してダウンロードするもので、端末表示部本体１８からの操作により書き換えを可能とする。記憶できる電話番号の数は、第１電話番号記憶部３３の記憶容量によって決定される。
【００２０】
第２電話番号記憶部３４は、間近に発信した電話番号を記憶するためのもので、リダイヤルする際に使用することができる。この場合、第１電話番号記憶部３３内に記憶されていた電話番号と相手の名前が記憶される。第２電話番号記憶部３４に記憶できる電話番号の数は、記憶容量によって決定され、記憶容量が一杯になると過去の電話番号から削除される。
【００２１】
操作用キーボタン１５は、電源ＯＮ／ＯＦＦボタン１５ａ，送受話器のＵＰ／ＤＯＷＮボタン１５ｂ、電話番号選択ボタン１５ｃ及び表示クリアボタン１５ｄから構成されている。
【００２２】
通信制御部３６は、コネクタ受け口１７とコネクタ２１を介して端末表示部本体１８に接続され、電池３７は、充電用端子３８を介して充電器３９に接続される。なお、受信通知部３５には、図示しないが、バイブロモータが内蔵されてい、受信時にこのバイブロモータが動作して振動を発生する。
【００２３】
図３は、端末表示部本体１８の回路構成を示すブロック図で、図３において、４１は制御部で、この制御部４１には表示部１９、操作用キーボタン２０、入力用ペン２３で書き込まれるペン入力部４２、基本ソフト格納部４３、記億部４４、作業用メモリ４５、ハンドセット部本体１１と通信する通信制御部４６及び電池４７が接続される。通信制御部４６はケーブル２２とコネクタ２１を介して、ハンドセット部本体１１に接続される。電池４７は、充電用端子４８を介して充電器４９に接続される。
【００２４】
基本ソフト格納部４３には、ＯＳおよびアプリケーションソフトウェアなどが格納される。また、記億部４４には、電話番号と相手先の名前を格納するほか、ハンドセット部を経由して受信した電子メールなどを格納しておくものである。
【００２５】
制御部４１は、マイクロプロセッサなどから構成され、上記基本ソフト格納部４３のアプリケーションソフトウェアを動かす。通信制御部４６は、ハンドセット部への電話番号のダウンロードを行うだけでなく、ハンドセット部を経由して、電子メールの送信、受信、インターネットからの情報を受け取り、制御部４１は表示部１９にその情報を表示する機能を持っている。
【００２６】
端末表示部本体１８は、ハンドセット部本体１１とケーブル２２とコネクタ２１で接続し、ペン２３によるペン入力部４２から相手先の電話番号を入力して電話番号を発信することができる。その他、ペン入力部４２から電話番号と相手先名前を入力し、新たに記憶部４４に、この情報を追加記憶すること、あるいは既に格納されている電話番号を変更するとか削除することができる。
【００２７】
上記のように構成された実施の形態において、着信時には、送受話器ＵＰ／ＤＯＷＮボタン１５ｂを一回押すことにより、受話器を上げた状態となって、通話が可能となる。通話中に再度、送受話器ＵＰ／ＤＯＷＮボタン１５ｂを押すことにより、受話器を降ろしたのと同じ状態となる。
【００２８】
表示部１６には、着信時の発信者の電話番号が表示される他、図２に示す第１、第２電話番号記憶部３３，３４に記憶されている電話番号を、電話番号選択ボタン１５ｃの操作により表示される。
【００２９】
電話の発信操作においては、次に述べる３つのモードがある。
【００３０】
モード（１）：ハンドセット部は本体１１の第１、第２電話番号記憶部３３，３４内に記憶されている電話番号を指定して発信するモードで、この時は端末表示部本体１８と接続されていても、接続されていなくても発信できる。このため、端末表示部本体１８は、外出時に必ずしも一緒に携帯する必要はない。
【００３１】
モード（２）：端末表示部本体１８をハンドセット部本体１１とをケーブル２２とコネクタ２１で接続し、端末表示部本体１８から目的の電話番号を入力して電話をかけることができる。
【００３２】
モード（３）：ハンドセット部本体１１にある操作用キーボタン１５を操作して（電話番号記憶部を使用せず）、任意の電話番号に電話をかけるモードで、この時、端末表示部本体１８と接続されていても、接続されていなくとも発信することができる。
【００３３】
上記モード（１）の場合、電話番号選択ボタン１５ｃを１回だけ１秒以内の時間押しつづけることにより、第１電話番号記憶部３３と第２電話番号記憶部３４内の電話番号が表示される。このボタン１５ｃを押すたびに順番に記憶部３３及び３４内の電話番号を表示する。表示する順番は、第１電話番号記憶部３３の次に、第２電話番号記憶部３４の電話番号の順でも、あるいはその逆でもかまわない。
【００３４】
目的の電話番号が見つかった時点で、受話器ＵＰ／ＤＯＷＮボタン１５ｂを１回押すことにより、電話番号を発信した状態となる。再度、受話器ＵＰ／ＤＯＷＮボタン１５ｂを押すことにより、通話を切った状態となる。
【００３５】
表示クリアボタン１５ｄは、表示をＯＦＦするためのもので、これにより、電池３７の消費を抑えるためのものである。なお、表示をＯＮとするのは、次のタイミングとする。着信時、あるいは電話番号選択ボタン１５ｃを操作したとき、自動的に表示をＯＮとする。
【００３６】
上記モード（１）で発信した場合でもその電話番号と相手の名前は第２電話番号記憶部３４に記憶される。
【００３７】
モード（２）では、端末表示部本体１８から目的の電話番号を入力し、ハンドセット部本体１１の受話器ＵＰ／ＤＯＷＮボタン１５ｂを押すか、あるいは端末表示部本体１８の受話器ＵＰ／ＤＯＷＮボタンを押すことにより、電話の発信が行われる。このとき発信した電話番号は、ハンドセット部本体１１の第２電話番号記憶部３４に自動的に記憶される。この場合には、第２電話番号記憶部３４には電話番号のみが記憶される。
【００３８】
図４は実施の第２形態を示すハンドセット部の正面図で、この第２形態はハンドセット部本体１１の下部に設けられる送話器（マイクロフォン）１４を下方に引き出し自在となるように構成したものである。
【００３９】
送話器１４が下部に設けられた引出し部２５は、好ましくはフレキシブルな材料で構成することにより、通話中には、送話器１４をより口元に近づけることが可能となる。なお、引き出し部２５は、フレキシブル材料には限定されない。
【００４０】
上記のような構成にすることにより、ともすれば話中は、話者の声が大きくなりがちで、周囲の人に迷惑をかける恐れがあるのをある程度防止できる。また、話者の方も周囲の人に聞かれたくない内容の話題を、小さな声で話すことができるようになる。
【００４１】
現在市販されている携帯電話は、送話器と話者の口元が離れており、かつ話者の顔の横に位置するため、送話器の性能が高く小さな声でも充分に声を拾うことができるにも係らず、話者の心理的な働きにより自然と声大きくなりがちであることは否めない。
【００４２】
ここで、現在流布している携帯電話に比較してハンドセット部を小型化できる理由に付いて述べる。
（Ａ）表示部１６について、
所謂「ｉモード」に代表される携帯電話は、表示できる情報量をできるだけ多くするように構成されている。しかし、この発明の実施の形態では、ハンドセット部と表示端末部に分割し、ハンドセット部では表示できる情報量をできるだけ減らすことにより、ハンドセット部の形状の小型化を図っている。
【００４３】
電話番号は、現在、携帯電話が１１桁、固定電話が１０桁表示となっている。電話番号を記憶させるのに、相手の名前は、半角カタカナを使用する場合に、８文字あれば十分である。従って、半角で合計２０文字の表示ができれば、十分である。
【００４４】
このことは、図５に示すように表示する仕組みとすれば、１桁で表示が可能ある。図５において、表示部１６の寸法は、「ａ」部が５から１０ｍｍ程度、「ｂ」部が４０〜７０ｍｍ程度の長さで充分である。図５において、名前表示部は、８文字、電話番号は１１文字の場合の表示部１６である。
（Ｂ）操作用キーボタン１５の数について、
一般の携帯電話では、電話番号を入力するために、「０」〜「９」までの１０ケのボタンに加え、電源ＯＮ／ＯＦＦ、フックＯＮ／ＯＦＦや各種設定のためのボタンなど合計で最低１５ケ程度のボタンが必要である。
【００４５】
しかし、この発明の実施の形態では、４ケのボタンで充分なため、図１（ａ）に示すように操作用キーボタン１５を１列の並べることできる。因みに、各ボタンの大きさは、現在一般に使用されているボタンと同じ大きさを想定している。
【００４６】
なお、実施の形態では、ボタンが４つの場合で説明したが、さらにボタンを１つ減らし、３つのボタンで構成することも可能である。例えば、「表示クリア」ボタンを削除する。
【００４７】
この場合、次のような方法で表示オフの機能を実現する。通話終了から一定時間経過すると自動的に表示をオフにする。また、ボタン操作が一定時間ない場合に表示を自動的にオフとする。
（Ｃ）電池のサイズについて、
（イ）表示部は液晶など低消費電力タイプのデバイスを使用し、
（ロ）バックライトを使用しなくても文字が読みやすいタイプの液晶を使用し、
（ハ）液晶の表示面積が小さいため、電力消費量が少なくてすみ、
（ニ）「表示クリア」ボタンあるいは自動表示オフ機能により電力消費を少なくする。この自動表示オフ機能は、着信をトリガとすることで容易に実現可能となる。また、一定時間ボタン操作がない場合も、ボタン操作からの時間をカウントすることにより容易に実現可能である。
【００４８】
上記のような各手段を採用することにより、ハンドセット部の電力消費量を少なくすることができ、これにより、電池の容量、すなわちサイズを小さくしても実用上問題はない。
（Ｄ）表示端末部のケーブル処理、
ケーブル２２は、表示端末部本体１８側で巻き取る機構とすることで、ハンドセット部にはコネクタを付けるだけで良いため、これによってもハンドセット部の形状を大型化させない。
【００４９】
次にこの発明の実施の第３形態について述べる。この第３形態は、前述したモード（３）に該当する場合である。これは、ハンドセット部にある「電話番号選択ボタン」と「受話器ＵＰ／ＤＯＷＮボタン」を使用して任意の電話番号に電話をかけるときのモードである。
【００５０】
モード（３）に入るには、図６に示すように、電源が入っていて通話中でない状態で「電話番号選択ボタン」を２秒以上押しつづける。
【００５１】
モード（１）とモード（３）を区別するには、この電話番号選択ボタンを押しつづける時間の長さによって行うものとする。あるいは、モード（１）の場合には、１回だけ押し（ワンクリック）、モード（３）の場合には、２回続けて押す（ダブルクリック）でも良い。
【００５２】
モード（３）における電話番号入力の状態となった時に、任意の電話番号を入力するが、その際には、「電話番号選択ボタン」と「表示クリアボタン」を使用する。電話番号の入力が完了したあと、ユーザが「受話器ＵＰ／ＤＯＷＮボタン」を押すと発呼の状態になる。
【００５３】
次に任意の電話番号を入力する方法を図７を参照して述べる。ここで、モード（３）における電話番号入力の状態となると、表示部の電話番号の１桁目の位置に「０」が表示され、「０」の表示がフリッカする。
【００５４】
表示がフリッカしている間は、その桁の数字は、まだ未確定の状態であり、ユーザは表示を見ることで、確定／未確定の状態を知ることができる。確定している状態とは、数字が表示されており、それがフリッカしていない時である。
【００５５】
表示がフリッカしている状態、すなわち未確定の状態にある数字を確定したい場合（つまり、その桁の数字が正しい数字となった時）にそれを正しいと、ハンドセット部の制御回路が認識するには、ユーザが「電話番号選択ボタン」を１秒以上押しつづけたことを検出した時である（図７−（Ｂ））。
【００５６】
表示がフリッカしている状態で「電話番号選択ボタン」を１回、しかも１秒未満の間押された時には、その桁の数字に「１」を加えた数字に表示変更してフリッカさせる。
【００５７】
その桁については、初めに「０」がフリッカ（未確定）の状態であるため、希望とする数字と同じ回数だけ「電話番号選択ボタン」を押すことにより、その希望とする数字にすることができる（図７−（Ｄ））。
【００５８】
その桁の数字が希望とする数字になったことをユーザが確認し、その数字を確定するためには、上述のように「電話番号選択ボタン」を１秒以上押しつづければ良い。
【００５９】
ユーザが「電話番号選択ボタン」を１秒以上押しつづけると、フリッカ表示されていた桁の数字が確定するとともに、自動的にその次の桁の所に「０」がフリッカ表示される（図７−（Ｃ））。
【００６０】
上述した方法を繰り返すことにより、任意の電話番号を入力することができる。そして、ある桁の数字の表示がフリッカ（つまり未確定）の状態の時に「受話器ＵＰ／ＤＯＷＮボタン」をユーザが押すと、フリッカ表示されている桁の数字はクリアされ、発呼の状態となる。
【００６１】
電話番号の入力を間違った場合には、ユーザは「表示クリアボタン」を１回押す。このボタンが押されたことを、制御部が検知すると最終桁の数字をリセットし、当該桁には再び「０」をフリッカ表示する。
【００６２】
ユーザが「表示クリアボタン」を２回続けて押すと後ろから２桁目の数字がリセットされ、未確定の状態となる。この時、最終桁の数字はクリアされ、入力されなかったものと見なされる。「表示クリアボタン」を３回続けて押すと後ろから３桁目の数字がリセットされる。
【００６３】
【発明の効果】
以上述べたように、この発明によれば、ハンドセット部と表示端末部とを分離し、両者をケーブルとコネクタにより接断自在な機構に構成することにより、（１）音声通話の送受信を主として使用するユーザにとっては、ハンドセット部は、通常の携帯電話の約１／２以下の容量（少し太めの筆記用具程度）と重量の携帯電話となり、ハンドセット部だけで送受信が可能となるので、より携帯性に富む利点がある。しかも、ハンドセット部には、電話番号を記憶する機能があり、利用頻度の高い電話番号を記憶させることができる。
（２）表示端末部は、大きさに対する制約が解消され、目的、機能に応じ各種のサービス（アプリケーション）を提供することができるのに対して、通常の携帯電話は、その大きさの制約により、表示部分のサイズが自ずと決まるために表示できる情報が限定される。特に、この発明の表示端末部では、インターネットで画像を受信するとか、電子メールの入力を行うなどの場合には、操作性、表示能力を考慮し手帳サイズなどの形状に構成できるなど、各種サイズの端末部を提供できる。これにより、ユーザは利用目的に応じて選択肢が増えることになる。
（３）ハンドセット部の送話器（マイクロフォン）を本体か引き出すことができる構成としたので、送話器を口元において通話することができるようになり、騒音が激しい場所においても、大きな声を出さないで通話ができるために、周囲に迷惑をかけることがすくなくなるとともに、話中の内容を周囲の人に聞かれることもなくなるなどの利点がある。
【図面の簡単な説明】
【図１】（ａ）は、この発明の実施の第１形態を示すハンドセット部の正面図、（ｂ）は、表示端末部の正面図。
【図２】ハンドセット部の回路構成を示すブロック図。
【図３】表示端末部の回路構成を示すブロック図。
【図４】この発明の実施の第２形態を示すハンドセット部の正面図。
【図５】ハンドセット部の表示部の表示状態を示す説明図。
【図６】この発明の実施の第３形態を示すタイムチャート。
【図７】第３形態を示す別のタイムチャート。
【符号の説明】
１１…ハンドセット部本体
１２…アンテナ
１３…受話器（スピーカ）
１４…送話器（マイクロフォン）
１５…操作用キーボタン
１６…表示部
１７…コネクタ受け口
１８…表示端末部本体
１９…入力／表示部
２０…操作用キーボタン
２１…コネクタ
２２…ケーブル
３１…送受信回路
３２…制御回路
３３、３４…第１、第２電話番号記憶部
３５…受信通知部
４１…制御部
４２…ペン入力部
４３…基本ソフト格納部
【図１】
2004096304.tif 000003
【図２】
2004096304.tif 000004
【図３】
2004096304.tif 000005
【図４】
2004096304.tif 000006
【図５】
2004096304.tif 000007
【図６】
2004096304.tif 000008
【図７】
2004096304.tif 000009